(57)【要約】【課題】  下ばき本体の外側に中間部分を浮かせ状態にしてヒップアップ機能を発揮するパワーネット等の伸縮性生地よりなるヒップアップ当て布を縫い付けたレース付きのショーツ、ガードル等の下ばきを提供する。【解決手段】  下ばき本体のヒップアップ当て布を付ける位置の周長よりもヒップアップ当て布の周長を短くし、かつ該ヒップアップ当て布の左右辺部における内辺縁の中間部分を除いた全周縁を下ばき本体の外側（すなわち身生地の表側）に縫い付けると共に、該ヒップアップ当て布の取付個所をストレッチ性を備えたレース等で覆い隠したことを特徴とするものである。【選択図】        図１
0003117774.tif 000002
【実用新案登録請求の範囲】
【請求項１】
下ばき本体の外側にヒップアップ当て布を付けると共に該ヒップアップ当て布の取付個所をストレッチ性を備えたレース等で覆い隠したことを特徴とするヒップアップ機能を備えた下ばき。
【請求項２】
下ばき本体のヒップアップ当て布を付ける位置の周長よりもヒップアップ当て布の周長を短くしかつ該ヒップアップ当て布の左右辺部における内辺縁の中間部分を除いた全周縁を下ばき本体の外側に縫い付けると共に該ヒップアップ当て布の取付個所をストレッチ性を備えたレース等で覆い隠したことを特徴とするヒップアップ機能を備えた下ばき。
【請求項３】
下ばき本体のヒップアップ当て布を付ける位置の周長よりもヒップアップ当て布の周長を短くしかつ該ヒップアップ当て布の左右辺部における内辺縁の中間部分及び外辺縁の中間部分を除いた全周縁を下ばき本体の外側に縫い付けると共に該ヒップアップ当て布の取付個所をストレッチ性を備えたレース等で覆い隠したことを特徴とするヒップアップ機能を備えた下ばき。
【考案の詳細な説明】
【技術分野】
【０００１】
本考案は、ヒップアップ機能を備えた股部を有するレース付きの下ばきに関し、具体的には、ヒップの形を美しく整えるヒップアップ機能を発揮するパワーネット等伸縮性生地製のヒップアップ当て布を下ばき本体（身生地）の外側（表側）に縫い付けたレース付きのショーツ、ガードル等の下ばき（通称：ボトム）に関するものである。
【背景技術】
【０００２】
一般に、ショーツ、ガードル等のような股部を有する下ばきは、ヒップアップ機能を強化するために、臀部下部の後中心部から脇方向に向かって略斜め上向きにパワーネット等の伸縮性生地よりなるヒップアップ当て布を下ばき本体（身生地）に裏打ちして設け、その復元収縮力によりヒップを下側及び脇側から押上げることでヒップアップ機能を持たせる構成にしてある。
【０００３】
上記のヒップアップ当て布は、下ばき本体のどこの伸びに連動できるようにしてあるかが重要で、ヒップアップ効果をよりアップさせるための大きなポイントとなることから、種々の形式のもの（例えば、特許文献１）が提供されているが、ここでは理解しやすくするため、次のような下ばきを例示して説明する。
【０００４】
従来の代表的な一つ目の例として、ヒップアップ機能を備えたショーツ（以下、第１従来例３０という）を図８に示す。この第１従来例３０は、ショーツ本体３１のヒップアップ当て布３２を付ける位置の周長とヒップアップ当て布３２の周長とが同じ長さにされており、ヒップアップ当て布３２の全周縁がショーツ本体３１の内側に糸３３により縫い付けられている。
【０００５】
また、二つ目の例として、ヒップアップ機能を備えたガードル（以下、第２従来例４０という）を図９に示す。この第２従来例４０は、ガードル本体４１のヒップアップ当て布４２を取り付ける位置の周長よりもヒップアップ当て布４２の周長が短くされており、かつ該ヒップアップ当て布４２の内辺縁の中間部分４３a及び外辺縁の中間部分４４aを除いた全周縁がガードル本体４１内側に糸４５により縫い付けた構成とされている。
【０００６】
この第２従来例４０は、上記第１従来例３０のようにヒップアップ当て布３２を伸ばしながら、その全周をショーツ本体３１に縫い付ける必要がなく、生産性が良いことから、最近は多く実施されているが、この第２従来例４０は、ヒップアップ当て布４２の浮かし部分がガードル本体４１における該浮かし部分の外側に存する個所にシワや捩れを作り易いという不本意な問題を含んでいた。
【０００７】
とは言え、この第２従来例４０は、ヒップアップ当て布４２の内・外辺縁の中間部分４３a、４４aが縫い付けられずに、ガードル本体４１から浮かせた状態でつけられており、着用時には短くされている方のヒップアップ当て布４２がガードル本体４１との連動により引っ張られて伸び、しかもウエストから後ろ接ぎの縦方向にも連動して伸びるので、第１従来例３０よりも高いヒップアップ効果が得られる。
【０００８】
そこで、本考案は、第１従来例３０に比較してヒップアップ効果が優れている第２従来例４０に鑑み、ショーツ本体、ガードル本体等の下ばき本体におけるヒップアップ当て布を付ける位置の周長よりも短い周長のヒップアップ当て布をショーツ本体、ガードル本体等の下ばき本体の外側すなわち身生地の表側に取り付ける構成とし、このようにヒップアップ当て布を外側に付けることにより、第２従来例４０よりも尚一層ヒップアップ効果、その他において優れているショーツ、ガードル等のレース付き下ばきを提供することを第１の目的とする。
【０００９】
さらに、第２従来例４０にあって、縫い付けられていない上記中間部分４３a、４４aの存在により、ガードル本体４１に生じるシワの発生を解消することを第２の目的とする。
【００１０】
さらにまた、上記下ばき本体外側（身生地の表側）に付けられたヒップアップ当て布の取付個所の美観を損なうことのないようにすることが、第３の目的である。
【特許文献１】特許第３０８８９５０号公報
【考案の開示】
【考案が解決しようとする課題】
【００１１】
すなわち、本考案の課題は、上記第１〜３の目的をことごとく達成できた新規なショーツ、ガードル等の下ばきを提供することにある。
【課題を解決するための手段】
【００１２】
上記課題を達成するために、請求項１に係る下ばきは、下ばき本体の外側すなわち身生地の表側にヒップアップ当て布を縫い付けると共に、該ヒップアップ当て布の取付個所をストレッチ性を備えたレース等で覆い隠したことを特徴とする。
【００１３】
従って、請求項１に係る下ばきによれば、上記の第３の目的を達成できる。
【００１４】
また、請求項２に係る下ばきは、下ばき本体のヒップアップ当て布を付ける位置の周長よりもヒップアップ当て布の周長を短くし、かつ該ヒップアップ当て布の左右辺部における内辺縁の中間部分を除いた全周縁を下ばき本体の外側に縫い付けると共に該ヒップアップ当て布の取付個所をストレッチ性を備えたレース等で覆い隠したことを特徴とする。
【００１５】
従って、請求項２に係る下ばきによれば上記の第１〜３の目的が達成でき、かつ後述するような好適な効果が享受できる。
【００１６】
また、請求項３に係る下ばきは、下ばき本体のヒップアップ当て布を付ける位置の周長よりもヒップアップ当て布の周長を短くし、かつ該ヒップアップ当て布の左右辺部における内辺縁の中間部分及び外辺縁の中間部分を除いた全周縁を下ばき本体の外側に縫い付けると共に、該ヒップアップ当て布の取付個所をストレッチ性を備えたレース等で覆い隠したことを特徴とする。
【００１７】
従って、請求項３に係る下ばきによれば、上記の第１〜３の目的が達成できる。
【考案の効果】
【００１８】
本考案に係る下ばきは、下ばき本体の外側（身生地の表側）にヒップアップ当て布を取り付け、かつこれをレース等で覆い隠すようにしてあるので、下ばき本体の内側にヒップアップ当て布をつけるようにした上記の第１〜２従来例３０、４０の下ばきよりもヒップアップ当て布の取り付けによるシワ等をより効果的にかくすことができ、美観に優れた下ばきが提供できる。
【００１９】
また、上記の第１・２従来例３０、４０はヒップアップ当て布を内側につける必要から、ヒップアップ当て布と同等以上のパワーをもった生地を下ばき本体に使用しなければなかったが、本考案に係る下ばきは、ヒップアップ当て布を下ばき本体の外側に取り付けるようにしたので、ヒップアップ当て布よりパワーのない生地を下ばき本体に使用しても充分なヒップアップの効果を得ることができる。従って、薄手の生地からできているショーツのようなものの実施を可能にできる。
【００２０】
特に、請求項３に係る下ばきは、ヒップアップ当て布とストレッチ性のあるレースとの左右側辺部における外辺縁の中間部分が縫い付けられて浮かない状態にされ、かつ内辺縁の中間部分が縫い付けられずに浮かせる状態にされているので、着用時にはウエストから後ろ接ぎの縦方向の伸びのほかに、足ぐりの横方向の伸びとも連動するため、上記第２従来例４０よりも高いヒップアップ効果を得ることができる。また、上記下ばき本体に対して施した外辺縁中間部分の縫着は、ヒップアップ当て布の横ズレを完全に解消できる。
【考案を実施するための最良の形態】
【００２１】
図１〜図４は、請求項１及び請求項２に係る下ばきの実施の形態（以下、第１実施の形態という）であるショートタイプのショーツ１を示すものである。図１は背面図であり、図２は製造工程を併せて示す展開図であり、図３は図１A−A線に沿う略式断面図であり、図４は図１B−B線に沿う略式断面図である。
【００２２】
この第１実施形態のショーツ１は、ウエストラインから足ぐり部分までの左右の臀部を覆う左右対称形の臀部布２、３と、腹部を覆うフロント布４，５と、左右臀部布２、３の下縁と、フロント布４，５をつなぐ股布６からなるショーツ本体７と、該ショーツ本体７の外側に対して４点千鳥により縫い止められた伸縮力の強いパワーネット生地製の左・右ヒップアップ当て布８、９及びストレッチ性を備えた生地製の左・右レース１０，１１と、により構成されている。
【００２３】
上記左・右ヒップアップ当て布８、９の周長は、ショーツ本体７のヒップアップ当て布付け位置７a、７bの周長よりも短くされており、ショーツ本体７に対しては、後述するような縫い止め方によりＵ字状を呈する配置にしてショーツ本体７の外側に糸１２a、１２ｂにより縫い止められている。
【００２４】
上記ヒップアップ当て布８、９は、図２に示すように、二つに折って二枚合せ構造にできる形のもの１３を二枚合せ構造にして、その外側に左・右各レース１０，１１を重ねて一体化すると共に、この一体化の状態で上記ショーツ本体７のヒップアップ当て布付け位置７a、７bに載せ、この載せ状態で各ヒップアップ当て布８、９の内辺縁の中間部分１４aを除いた全周縁を糸１２a、１２ｂにより上記ショーツ本体７に縫い止める。この場合、ヒップアップ当て布８、９の周長の短い分は、縫い止め作業中に上記中間部分１４aでヒップアップ当て布８、９を伸ばして按配を取りながら縫い付ける方法により解消するようにする。その結果、ショーツ本体７における上記中間部分１４aに対面する部分に不着用のときにシワが発生することになってしまうが、このシワはその外側に位置するヒップアップ当て布８、９及びレース１０，１１により隠されるので、美観を損ねることにはならない。
【００２５】
従って、この第１形態のショーツ１は、ヒップアップ当て布８，９がショーツ本体７との連動により引っ張られて伸びるように機能することから、上記第２従来例４０よりも高いヒップアップ効果を得ることができる。また、ヒップアップ当て布８、９の外辺縁の中間部分１５aが、ショーツ本体７に対して縫い付けられているので、ヒップアップ当て布８、９の横ズレの発生は完全に解消できる。
【００２６】
また、本考案においてヒップアップ当て布８，９の内・外辺縁の上方部分１４b、１５b及び下方部分１４c、１５cは、シワ、捩れ、横ズレの発生阻止に有効的に機能する。
【００２７】
図５は、請求項１及び請求項２に係る実施の形態（以下、第２実施の形態という）であるロングタイプのショーツ２０を示す背面図である。
【００２８】
この第２実施形態のロングタイプのショーツ１６は、足ぐり部分１７をやや長めにして、その裾縁に足ぐりレース１８を縫い付けてある点が、上記第１形態のショートタイプのショーツ１と異なっており、その他は概ね同じ構成にしてあるので、同一部位には同じ符号を付けてその説明は省略する。
【００２９】
図６及び図７は、請求項１及び請求項３に係る下ばきの実施の形態（以下、第３実施の形態という）であるショートタイプのガードル２０を示す。図６は背面図であり、図７は図６C−C線に沿う略式断面図である。
【００３０】
この第３実施形態のガードル２０は、ヒップアップ当て布８，９の内辺縁の中間部分１４a及び外辺縁の中間部分１５aを除いた全周縁をガードル本体２１に縫い付けている点、及び各部位の生地材質が上記第１形態のショーツ１と大きく異なるものであり、その他は略同様であるので同一の部位には同じ符号を付してその説明は省略する。
【００３１】
従って、この第３形態のガードル２０は、着用時には左右のヒップアップ当て布８，９がガードル本体２１との連動により引っ張られて伸びるように機能することから、上記第２従来例４０よりも高いヒップアップ効果を得ることができる。
【００３２】
してみると、市場で多く見られるヒップアップ機能を強調した従来の下ばきは、ヒップアップ当て布を下ばき本体の内側に縫い付ける形式が一般的であったところ、本考案に係る下ばきは、ヒップアップ当て布を下ばき本体の外側につけることによりヒップを押える効果をより顕著にアップさせ、いわゆる補整下着に使われるような厚手の締め付け感の強い生地を使用しなくても、簡単にヒップアップ効果を得ることができるのである。
【００３３】
また、本考案は伸縮性のある生地製のヒップアップ当て布を一重以上として下ばき本体の外側にヒップの丸みの下辺部に沿うようにして縫い付けてあり、かつこのヒップアップ当て布は下ばき本体における該ヒップアップ当て布の付け位置の周長よりも短く設定してあるから、着用時には下ばき本体に引っ張られることで高いヒップアップ効果を発揮できる。
【００３４】
さらに、下ばき本体の外側にヒップアップ当て布を縫い付ける際には、レースをかぶせるように一緒に縫い付けてあるので、全体として美観を損なわず、レースのストレッチによりヒップアップに機能する力が更にプラスされることになり、より高い意匠的効果及びヒップアップ効果を得ることができる。
【００３５】
さらにまた、下ばき本体とヒップアップ当て布とレースの重なりを段階的に減らすなどして、ヒップアップ当て布及びレースにおける内辺縁の中間個所は縫い付けずフリーな状態にしているため、持ち上がったお尻の肉が中央部でつぶされることがなく、より高い補正効果が期待できるのみならず、ヒップアップ当て布とレースはＵ字状につながっているので、着用時にはより高い引き上げ効果を得ることができる。
【図面の簡単な説明】
【００３６】
【図１】本考案の実施の第１実施形態を示す背面図である。
【図２】同じく製造工程を併せて示す展開図である。
【図３】図１のＡ−Ａ線に沿う断面略図である。
【図４】図１のＢ−Ｂ線に沿う断面略図である。
【図５】本考案の実施の第２実施形態を示す背面図である。
【図６】本考案の実施の第３実施形態を示す背面図である。
【図７】図５のＣ−Ｃ線に沿う断面略図である。
【図８】第１従来例を示す背面斜視図である。
【図９】第２従来例を示す背面斜視図である。
【符号の説明】
【００３７】
１  第１実施形態のショーツ
２、３  臀部布
４、５  フロント布
６  股布
７  ショーツ本体
７a、７b  ヒップアップ当て布付け位置
８、９  左・右ヒップアップ当て布
１０、１１  左・右レース
１２a、１２ｂ  糸
１４a、１５a  中間部分
１４b、１５b  上方部分
１４c、１５c  下方部分
１６  第２実施形態のショーツ
１７  足ぐり部分
１８  足ぐりレース
２０  第３実施形態のガードル
２１  ガードル本体
３０  第１従来例
３１  ショーツ本体
３２  ヒップアップ当て布
３３  糸
４０  第２従来例
４１  ガードル本体
４２  ヒップアップ当て布
４３  内辺縁
４４  外辺縁
４３a、４４a中間部分
４５  糸
【図１】
0003117774.tif 000003
【図２】
0003117774.tif 000004
【図３】
0003117774.tif 000005
【図４】
0003117774.tif 000006
【図５】
0003117774.tif 000007
【図６】
0003117774.tif 000008
【図７】
0003117774.tif 000009
【図８】
0003117774.tif 000010
【図９】
0003117774.tif 000011